(57)【要約】【課題】巻回素子の品質に関する良否をより正確に判定することができるとともに、検査に係る信頼性を十分に高めることができる検査装置及び巻回装置を提供する。【解決手段】検査装置は、巻芯１３，１４に巻き付けられた各種シート２〜５を検査対象として、当該検査対象に対し所定の光を照射する照明装置１９ａ，１９ｂと、所定のレンズを有するとともに、照明装置１９ａ，１９ｂにより光の照射された検査対象を撮像するカメラ２０と、カメラ２０により得られた画像に基づき、検査対象の良否を判定する制御装置とを備える。カメラ２０は、前記レンズの光軸ＯＰ方向に沿って巻芯１３，１４に対し相対移動可能であり、巻芯１３，１４に対する各種シート２〜５の巻回中に、検査対象に対するピントが合うように、巻芯１３，１４に巻き付けられた各種シート２〜５の厚さに応じて巻芯１３，１４に対し相対移動するように構成されている。【選択図】      図１０
2018170103.tif 000002
【特許請求の範囲】
【請求項１】
絶縁素材よりなる帯状のセパレータシートを介して、活物質の塗布された帯状の正電極シートと負電極シートとを交互に重ね合わせた状態で回転可能な巻芯により巻取ることによって製造される巻回素子の製造過程において用いられる検査装置であって、
前記巻芯に巻き付けられた前記各シートを検査対象として、当該検査対象に対し所定の光を照射する照射手段と、
所定のレンズを有するとともに、前記照射手段により光の照射された前記検査対象を撮像する撮像手段と、
前記撮像手段により得られた画像に基づき、前記検査対象の良否を判定する良否判定手段とを備え、
前記撮像手段は、前記レンズの光軸方向に沿って前記巻芯に対し相対移動可能であり、前記巻芯に対する前記各シートの巻回中に、前記検査対象に対するピントが合うように、前記巻芯に巻き付けられた前記各シートの厚さに応じて前記巻芯に対し相対移動するように構成されていることを特徴とする検査装置。
【請求項２】
前記撮像手段は、前記巻芯に対する前記各シートの巻回中に、前記巻芯に対し連続的に相対移動するように構成されていることを特徴とする請求項１に記載の検査装置。
【請求項３】
前記巻芯の回転角度を検出可能な回転角度検出手段を備え、
前記撮像手段は、前記回転角度検出手段により検出された前記巻芯の回転角度が予め設定された一定角度となる度に、前記検査対象を撮像するように構成されていることを特徴とする請求項１又は２に記載の検査装置。
【請求項４】
前記セパレータシートは、透明又は半透明であり、
前記撮像手段は、前記両電極シートのうちの少なくとも一方を前記セパレータシートを透過して撮像することで、前記両電極シート及び前記セパレータシートを一度に撮像するように構成されていることを特徴とする請求項１乃至３のいずれか１項に記載の検査装置。
【請求項５】
請求項１乃至４のいずれか１項に記載の検査装置を備えることを特徴とする巻回装置。
【発明の詳細な説明】
【技術分野】
【０００１】
本発明は、二次電池等に用いられる巻回素子を検査するための検査装置、及び、当該検査装置を備えた巻回装置に関する。
【背景技術】
【０００２】
巻回素子としては、リチウムイオン電池等の二次電池に用いられるものが知られている。この種の巻回素子は、正極活物質の塗布された正電極シートと負極活物質の塗布された負電極シートとが、両電極シートを絶縁するためのセパレータシートを介した状態で、回転可能な巻芯により巻取られることによって製造される。
【０００３】
ところで、各シートの巻回中にシートに巻きずれ（シート幅方向への位置ずれ）が起きてしまったり、活物質の塗布位置にずれがあったりすることなど、巻回素子の構成部においてシート幅方向に沿った位置ずれが生じてしまうおそれがある。このような位置ずれは、例えば短絡等の原因となってしまい、製回素子における品質の低下を招いてしまうおそれがある。
【０００４】
そこで、巻きずれの有無を検知する検査装置として、巻芯（回転軸）よりも上流におけるシートの搬送経路に対応して配設された撮像手段（撮影装置）によって、セパレータシートと当該セパレータシートを透かして電極シートとを撮像し、得られた画像データに基づき巻きずれに関する検査を行うものが提案されている（例えば、特許文献１等参照）。
【０００５】
しかしながら、この検査装置は、巻芯により巻取られる前におけるシートの位置ずれを検知するものに過ぎない。従って、この検査装置による良否判定の結果と、各シートを巻取ることで得られた実際の巻回素子における良否とが必ずしも一致しない可能性がある。そのため、巻回素子の品質に関する良否を正確に判定することができないおそれがある。
【０００６】
これに対し、巻芯に巻き付けられた各シートを撮像し、得られた画像に基づき巻回素子における巻きずれの有無を判定する検査装置が提案されている（例えば、特許文献２，３等参照）。
【先行技術文献】
【特許文献】
【０００７】
【特許文献１】特開２００９−１７０１３６号公報
【特許文献２】特開２００６−１４５２９８号公報
【特許文献３】特開２０１６−５８１７９号公報
【発明の概要】
【発明が解決しようとする課題】
【０００８】
ところで、上記のような検査装置において、検査に係る信頼性を高めるという観点では、計測分解能（画像の解像度）を極力高くすることが好ましい。
【０００９】
しかしながら、計測分解能を高めると、結果的に、撮像手段における被写界深度が浅くなってしまう。そのため、各シートの巻取りが進むに伴い巻芯に巻回された各シートが厚くなっていき、撮像手段に対し撮像対象となる各シートが接近した状態になると、各シートにピントを合わせることができず、画像がぼけてしまうおそれがある。
【００１０】
一方、各シートの巻取りが進んだときに、各シートにピントが合うように構成することが考えられるが、この場合には、各シートの巻回を開始した直後に、すなわち、撮像手段から撮像対象となる各シートが離れているときに、各シートにピントを合わせることができず、画像がぼけてしまうおそれがある。
【００１１】
このように、計測分解能を高めるべく被写界深度を浅いものとすれば、巻回に伴う各シート及び撮像手段間の距離の変動に十分に対応することができず、結果的に、検査に係る信頼性を十分に高めることができないおそれがある。
【００１２】
本発明は、上記事情に鑑みてなされたものであり、その目的は、巻回素子の品質に関する良否をより正確に判定することができるとともに、検査に係る信頼性を十分に高めることができる検査装置及び巻回装置を提供することにある。
【課題を解決するための手段】
【００１３】
以下、上記目的を解決するのに適した各手段につき、項分けして説明する。なお、必要に応じて対応する手段に特有の作用効果を付記する。
【００１４】
手段１．絶縁素材よりなる帯状のセパレータシートを介して、活物質の塗布された帯状の正電極シートと負電極シートとを交互に重ね合わせた状態で回転可能な巻芯により巻取ることによって製造される巻回素子の製造過程において用いられる検査装置であって、
前記巻芯に巻き付けられた前記各シートを検査対象として、当該検査対象に対し所定の光を照射する照射手段と、
所定のレンズを有するとともに、前記照射手段により光の照射された前記検査対象を撮像する撮像手段と、
前記撮像手段により得られた画像に基づき、前記検査対象の良否を判定する良否判定手段とを備え、
前記撮像手段は、前記レンズの光軸方向に沿って前記巻芯に対し相対移動可能であり、前記巻芯に対する前記各シートの巻回中に、前記検査対象に対するピントが合うように、前記巻芯に巻き付けられた前記各シートの厚さに応じて前記巻芯に対し相対移動するように構成されていることを特徴とする検査装置。
【００１５】
尚、「巻芯に巻き付けられた」とあるのは、自身の下層に位置する巻芯の外周面やシートに対し浮き上がることなく、密着していることを意味する。
【００１６】
上記手段１によれば、巻芯に巻き付けられた電極シートやセパレータシートを検査対象として、当該検査対象を撮像手段によって撮像し、この撮像により得られた画像に基づき、良否判定手段が検査対象の良否を判定する。すなわち、良否判定手段は、実際に巻き取られた状態の検査対象に対し、良否の判定を行う。良否判定は、例えば、シートの巻きずれの有無に関して行ってもよいし、電極シートにおける活物質の塗布された部位（活物質塗工部）の位置や電極シートに設けられたタブの位置など、その他の項目に関して行ってもよい。実際に巻き取られた状態の検査対象に対し良否判定を行うことで、巻回素子の品質に関する良否をより正確に判定することができる。
【００１７】
また、上記手段１によれば、撮像手段は、レンズの光軸方向に沿って巻芯に対し相対移動可能とされており、各シートの巻回中に、検査対象に対するピントが合うように、巻芯に巻き付けられた各シートの厚さに応じて、前記光軸方向に沿って相対移動する。例えば、各シートの巻取開始直後であり、巻芯に巻回された各シートが薄い場合、撮像手段は、巻芯までの距離が比較的小さなものとなる位置にて検査対象を撮像する。一方、例えば、各シートの巻取りが進むにつれて、巻芯に巻回された各シートが厚くなった（各シートの巻取量が多くなった）場合、撮像手段は、巻芯からの距離が比較的大きなものとなる位置にて検査対象を撮像する。これにより、被写界深度を浅くして計測分解能を高めつつ、検査対象に対しより確実にピントを合わせることができる。すなわち、いわばトレードオフの関係にある、計測分解能を高めること、及び、被写界深度を深くすること（ピントの合う範囲を広げること）の双方を同時に実現した場合と同様の効果を得ることができる。その結果、検査に係る信頼性を十分に高めることができる。
【００１８】
さらに、撮像手段が移動することで、巻回素子が大型なものである場合など、巻回開始から巻回終了までの間に、巻取中における各シートの径の変動が比較的大きくなるような場合に十分対応することができる。従って、様々なサイズの巻回素子を精度よく検査することができる。
【００１９】
手段２．前記撮像手段は、前記巻芯に対する前記各シートの巻回中に、前記巻芯に対し連続的に相対移動するように構成されていることを特徴とする手段１に記載の検査装置。
【００２０】
上記手段２によれば、撮像手段は、各シートの巻回中に、間欠的ではなく連続的に移動する。従って、撮像手段において移動及び一時停止が交互に繰り返し行われる場合と比較して、撮像手段における振動の発生を効果的に抑制することができる。これにより、検査対象に対しピントの合った画像をより確実に得ることができ、検査に係る信頼性を一層高めることができる。さらに、撮像手段の移動に係る制御が容易になり、制御処理に関する負担の軽減を図ることができる。
【００２１】
手段３．前記巻芯の回転角度を検出可能な回転角度検出手段を備え、
前記撮像手段は、前記回転角度検出手段により検出された前記巻芯の回転角度が予め設定された一定角度となる度に、前記検査対象を撮像するように構成されていることを特徴とする手段１又は２に記載の検査装置。
【００２２】
上記手段３によれば、巻芯が一定の回転角度となる度に、撮像手段による検査対象の撮像が行われる。従って、撮像のタイミングに係る制御が容易なものとなり、制御処理に関する負担の軽減を一層図ることができる。
【００２３】
手段４．前記セパレータシートは、透明又は半透明であり、
前記撮像手段は、前記両電極シートのうちの少なくとも一方を前記セパレータシートを透過して撮像することで、前記両電極シート及び前記セパレータシートを一度に撮像するように構成されていることを特徴とする手段１乃至３のいずれかに記載の検査装置。
【００２４】
上記手段４によれば、両電極シート及びセパレータシートを一度に撮像することができる。従って、少ない撮像回数で検査に必要な画像を得ることができ、検査効率を向上させることができる。
【００２５】
手段５．手段１乃至４のいずれかに記載の検査装置を備えることを特徴とする巻回装置。
【００２６】
上記手段５によれば、基本的には上記手段１等と同様の作用効果が奏される。
【図面の簡単な説明】
【００２７】
【図１】電池素子の構成を示す斜視模式図である。
【図２】電池素子の構成を示す平面模式図である。
【図３】巻回装置の概略構成図である。
【図４】巻回部の概略構成図である。
【図５】カメラの電気的構成を示すブロック図である。
【図６】巻回工程のフローチャートである。
【図７】撮像検査処理のフローチャートである。
【図８】検査処理のフローチャートである。
【図９】各種シートの巻回を開始した直後におけるカメラの位置などを示す模式図である。
【図１０】各種シートの巻回が終了する直前におけるカメラの位置などを示す模式図である。
【図１１】カメラによって得られる画像の模式図である。
【図１２】巻回が開始される際の巻回部の概略構成図である。
【図１３】セパレータシートが切断される際の巻回部の概略構成図である。
【発明を実施するための形態】
【００２８】
以下、一実施形態について図面を参照しつつ説明する。まず、巻回装置によって得られる巻回素子としてのリチウムイオン電池素子の構成について説明する。
【００２９】
図１及び図２に示すように、リチウムイオン電池素子１（以下、単に「電池素子１」という）は、２枚のセパレータシート２，３を介して、正電極シート４及び負電極シート５が重ね合わされた状態で巻回されることにより製造される。尚、以下においては、セパレータシート２，３及び電極シート４，５を総称する場合、「各種シート２〜５」ということがある。
【００３０】
セパレータシート２，３は、それぞれ同一の幅を有する帯状をなしており、異なる電極シート４，５同士が互いに接触して短絡を起こしてしまうのを防止すべく、ポリプロピレン（ＰＰ）等の絶縁素材により構成されている。セパレータシート２，３は、透明又は半透明である。従って、セパレータシート２，３を通して、正電極シート４や負電極シート５を視認することができるようになっている。
【００３１】
電極シート４，５は、薄板状の金属シートよりなり、その表裏両面には活物質が塗布されている。正電極シート４には例えばアルミニウム箔シートが用いられ、その表裏両面に正極活物質（例えば、マンガン酸リチウム粒子等）が塗布されている。負電極シート５には例えば銅箔シートが用いられ、その表裏両面に負極活物質（例えば、活性炭等）が塗布されている。
【００３２】
電極シート４，５は、連続塗工形態の電極シートであり、シート幅方向における所定部分が活物質塗工部４ａ，５ａ（図２中、散点模様を付した部位）となり、残りの部分が活物質不塗工部４ｂ，５ｂとなっている。そして、活物質塗工部４ａ，５ａを介して、正電極シート４及び負電極シート５間におけるイオン交換ができるようになっている。より詳しくは、充電時には、正電極シート４側から負電極シート５側へとイオンが移動し、放電時には、負電極シート５側から正電極シート４側へとイオンが移動する。
【００３３】
また、負電極シート５は、セパレータシート２，３よりも幅狭とされ、正電極シート４は、負電極シート５よりも幅狭とされている。そして、電池素子１においては、負電極シート５で正電極シート４が覆われた状態になっている。これにより、正電極シート４が負電極シート５で覆われないことに伴う不具合（例えば、正電極シート４に針状の析出物が形成され、セパレータシート２，３に傷がついてしまうこと等）が抑制され、電池素子１の品質向上が図られている。
【００３４】
さらに、正電極シート４の幅方向一端縁からは図示しない複数の正極リードが延出するとともに、負電極シート５の幅方向他端縁からは図示しない複数の負極リードが延出している。
【００３５】
リチウムイオン電池を得るに際しては、電池素子１が金属製で筒状をなす図示しない電池容器（ケース）内に配設されるとともに、前記正極リード及び負極リードがそれぞれまとめられる。そして、まとめられた正極リードを正極端子部品（図示せず）に接続するとともに、同じくまとめられた負極リードを負極端子部品（図示せず）に接続し、両端子部品が前記電池容器の両端開口に塞ぐように設けられることで、リチウムイオン電池を得ることができる。
【００３６】
次に、電池素子１を製造するための巻回装置１０について説明する。図３に示すように、巻回装置１０は、各種シート２〜５を巻回するための巻回部１１と、正電極シート４を巻回部１１へ供給するための正電極シート供給機構３１と、負電極シート５を巻回部１１へ供給するための負電極シート供給機構４１と、セパレータシート２，３をそれぞれ巻回部１１へ供給するためのセパレータ供給機構５１，６１と、良否判定手段としての制御装置８１とを備えている。尚、上記巻回部１１や各供給機構３１，４１，５１，６１など、巻回装置１０内の各種装置は、制御装置８１により動作制御される構成となっている。
【００３７】
正電極シート供給機構３１は、正電極シート４がロール状に巻回されてなる正電極シート原反３２を備えている。正電極シート原反３２は、図示しない駆動手段によって回転可能な支持軸３３により支持されている。支持軸３３の回転に伴い、正電極シート原反３２から正電極シート４が引き出される。
【００３８】
また、正電極シート供給機構３１は、シート挿入機構７１と、シート切断カッタ７２と、テンション付与機構７３と、バッファ機構７５とを備えている。
【００３９】
シート挿入機構７１は、正電極シート４を巻回部１１へ供給するものであり、正電極シート４の搬送経路に沿って、巻回部１１に接近する接近位置と、巻回部１１から離間する離間位置との間を移動可能に構成されている。シート挿入機構７１は、正電極シート４を把持可能な一対のチャック７１ａ，７１ｂを備えている。チャック７１ａ，７１ｂは、図示しない駆動手段により開閉動作可能に構成されている。そして、正電極シート４を巻回部１１へ供給する際には、チャック７１ａ，７１ｂにより正電極シート４を把持した上で、シート挿入機構７１が巻回部１１側に接近するようになっている。
【００４０】
シート切断カッタ７２は、正電極シート４を切断するためのものであり、正電極シート４の表裏両側にそれぞれ位置する一対の刃部７２ａ，７２ｂを備えている。シート切断カッタ７２は、その一対の刃部７２ａ，７２ｂが正電極シート４を挟むように位置するシート切断位置と、正電極シート４の搬送経路外へ退避する退避位置との間を移動可能に構成されている。
【００４１】
尚、正電極シート４の切断は、前記チャック７１ａ，７１ｂにより正電極シート４が把持された状態で行われるようになっている。また、巻回部１１へと正電極シート４を供給すべく、シート挿入機構７１が巻回部１１側へ接近移動する際には、一対の刃部７２ａ，７２ｂがそれぞれ正電極シート４の搬送経路から離間することで、シート挿入機構７１の移動を阻害しないようになっている。
【００４２】
テンション付与機構７３は、一対のローラ７３ａ，７３ｂと、両ローラ７３ａ，７３ｂ間において揺動自在に設けられたダンサローラ７３ｃとを有している。ダンサローラ７３ｃは、所定の定トルクモータ（図示せず）により動作し、正電極シート４に対し常に一定の張力を付与するように構成されている。正電極シート４に張力が付与されることで、正電極シート４の弛み防止が図られている。
【００４３】
バッファ機構７５は、正電極シート原反３２から送り出された正電極シート４を一旦貯留するものである。バッファ機構７５は、一対の従動ローラ７５ａ，７５ｂと、両ローラ７５ａ，７５ｂ間において上下方向に変位可能に設けられた昇降ローラ７５ｃとを有している。昇降ローラ７５ｃは、正電極シート４の貯留量に基づき上下位置が変位する。
【００４４】
負電極シート供給機構４１は、その最上流側において、負電極シート５がロール状に巻回されてなる負電極シート原反４２を備えている。負電極シート原反４２は、図示しない駆動手段によって回転可能な支持軸４３により支持されている。支持軸４３の回転に伴い、負電極シート原反４２から負電極シート５が引き出される。
【００４５】
また、負電極シート供給機構４１は、正電極シート供給機構３１と同様に、シート挿入機構７１、シート切断カッタ７２、テンション付与機構７３及びバッファ機構７５を備えている。これらは、負電極シート５を対象として機能する点を除き、正電極シート供給機構３１に設けられたものと同様である。従って、これらについての詳細な説明は省略する。
【００４６】
一方、セパレータ供給機構５１，６１は、それぞれセパレータシート２，３がロール状に巻回されてなるセパレータ原反５２，６２を備えている。セパレータ原反５２，６２は、自由回転可能な状態で支持されており、ここから適宜セパレータシート２，３が引き出される。
【００４７】
さらに、セパレータ供給機構５１，６１は、電極シート供給機構３１，４１と同様に、テンション付与機構７３を備えている。当該テンション付与機構７３は、セパレータシート２，３を対象として機能する点を除き、正電極シート供給機構３１に設けられたものと同様である。従って、これについての詳細な説明は省略する。
【００４８】
また、各種シート２〜５の搬送経路の途中には、一対のニップローラ７８ａ，７８ｂが設けられている。ニップローラ７８ａ，７８ｂは、各種シート２〜５が同一の搬送経路に沿って搬送されるように各種シート２〜５を重ねた状態とするものである。巻回部１１に対しては、ニップローラ７８ａ，７８ｂにより重ねられた状態の各種シート２〜５が供給される。
【００４９】
加えて、ニップローラ７８ａ，７８ｂの回転量（本実施形態では、ニップローラ７８ｂの回転量）は、図示しないニップローラ用エンコーダにより把握可能となっている。そして、当該ニップローラ用エンコーダからニップローラ７８ｂの回転量に関する情報が制御装置８１へと入力されるようになっている。尚、ニップローラ７８ｂの回転量は、各種シート２〜５の送り量に対応したものとなる。
【００５０】
次に、巻回部１１の構成について説明する。図４に示すように、巻回部１１は、図示しない駆動機構により回転可能に設けられた相対向する２枚の円盤状のテーブルからなるターレット１２と、当該ターレット１２の回転方向に１８０°間隔で設けられた２つの巻芯１３，１４と、チャック部１５ａ，１５ｂと、セパレータカッタ１６と、巻回後の各種シート２〜５がばらけるのを抑えるための押えローラ１７と、所定の固定用テープを貼付するためのテープ貼付機構１８とを備えている。
【００５１】
巻芯１３，１４は、それぞれ自身の外周側において各種シート２〜５を巻取るためのものであり、図示しない駆動機構により自身の中心軸を回転軸として回転可能に構成されている。巻芯１３，１４の回転角度や回転量は、回転角度検出手段としての巻芯用エンコーダ８２（図５参照）により検出可能となっており、当該巻芯用エンコーダ８２から巻芯１３，１４の回転角度や回転量に関する情報が制御装置８１へと入力されるようになっている。
【００５２】
また、巻芯１３，１４は、ターレット１２の軸線方向（図４等の紙面奥行方向）に沿って、ターレット１２を構成する一方のテーブルに対し出没可能に設けられている。尚、巻芯１３，１４は、前記一方のテーブルから突出した状態となったときに、その先端部が他方のテーブルに形成された受け用の穴に挿通され、両テーブルによって回転可能な状態で支持されるようになっている。
【００５３】
加えて、巻芯１３，１４は、それぞれ回転軸と直交する断面において外形線が非円形状をなすように構成されている。本実施形態において、巻芯１３，１４は、自身の回転軸と直交する断面において、楕円形状をなしている。
【００５４】
さらに、巻芯１３（１４）は、それぞれ自身の軸線方向（図４の紙面奥行方向）に沿って延びる一対の芯片１３ａ，１３ｂ（１４ａ，１４ｂ）を備えている。芯片１３ａ，１３ｂ（１４ａ，１４ｂ）間には隙間１３ｃ（１４ｃ）が形成されている。
【００５５】
また、巻芯１３，１４は、ターレット１２が回転することにより、巻回ポジションＰ１と、取外しポジションＰ２との間を旋回移動可能に構成されている。
【００５６】
巻回ポジションＰ１は、巻芯１３，１４により各種シート２〜５を巻回するポジションである。巻回ポジションＰ１に対し上記各供給機構３１，４１，５１，６１から各種シート２〜５が供給される。
【００５７】
取外しポジションＰ２は、巻回後の各種シート２〜５、すなわち電池素子１の取外しを行うためのポジションである。取外しポジションＰ２の周辺部には、巻芯１３，１４から電池素子１の取外しを行うための取外装置（不図示）等が設けられている。
【００５８】
チャック部１５ａ，１５ｂは、巻回ポジションＰ１及び取外しポジションＰ２間においてセパレータシート２，３を挟持するためのものである。チャック部１５ａ，１５ｂは、図示しない駆動手段によって、ターレット１２や巻芯１３，１４の回転軸と平行な回動軸を中心として旋回移動可能に構成されている。そして、チャック部１５ａ，１５ｂは、それぞれ挟持位置及び退避位置の間で移動可能とされている。チャック部１５ａ，１５ｂがそれぞれ挟持位置に移動すると、チャック部１５ａ，１５ｂによってニップローラ７８ａ，７８ｂから取外しポジションＰ２にかけて配されたセパレータシート２，３を挟持することが可能となる（図１２参照）。一方、チャック部１５ａ，１５ｂは、それぞれ退避位置に移動すると、巻芯１３，１４やセパレータシート２，３等の移動を妨げない位置に配置される（図３参照）。
【００５９】
セパレータカッタ１６は、巻回ポジションＰ１及び取外しポジションＰ２間に配置され、チャック部１５ａ，１５ｂよりも取外しポジションＰ２側に設けられている。セパレータカッタ１６は、所定の上方位置と下方位置との間で上下方向に沿って往復移動可能となっており、上方位置から下方位置へと移動することでセパレータシート２，３を切断する。
【００６０】
押えローラ１７は、取外しポジションＰ２の近傍に配置されており、ターレット１２に接近し各種シート２〜５を押さえる近接位置と、ターレット１２から離間し巻芯１３，１４の移動を妨げない退避位置との間で移動可能に構成されている。
【００６１】
テープ貼付機構１８は、取外しポジションＰ２の近傍に配置されており、巻回終了時にセパレータシート２，３の終端部に前記固定用テープを貼付する。前記固定用テープの貼付により、電池素子１の巻止めがなされる。
【００６２】
さらに、巻回部１１は、照射手段としての照明装置１９ａ，１９ｂ及び撮像手段としてのカメラ２０を備えている。照明装置１９ａ，１９ｂ及びカメラ２０は、それぞれ巻回ポジションＰ１に対応して配設されている。
【００６３】
照明装置１９ａ，１９ｂは、巻回ポジションＰ１に位置する巻芯１３，１４に巻回された、検査対象としての各種シート２〜５における少なくとも幅方向端縁を含む部位に対し所定の光（例えば、赤色光などの可視光や赤外光など）を照射する。尚、カメラ２０によって各種シート２〜５をより鮮明に撮像するという点では、セパレータシート２，３を透過する性質を持った赤色光や赤外光を照射することが好ましい。
【００６４】
照明装置１９ａ，１９ｂは、少なくとも巻芯１３，１４の回転軸から巻芯１３，１４の短径未満だけずれた位置に光を照射する。これにより、巻芯１３，１４による各種シート２〜５の巻取中に、常に各種シート２〜５を照らすことができるようになっている。尚、巻芯１３，１４の回転軸から巻芯１３，１４の短径以上長径未満だけずれた位置に光を照射し、少なくともカメラ２０による撮像タイミングに各種シートを照らすことができるように構成してもよい。
【００６５】
カメラ２０は、照明装置１９ａ，１９ｂから照射される光の波長領域に感度を有するものであり、少なくとも照明装置１９ａ，１９ｂにより光の照らされた各種シート２〜５（検査対象）を撮像するものである。
【００６６】
本実施形態において、照明装置１９ａ，１９ｂ及びカメラ２０は、二組設けられており、一組は、各種シート２〜５の幅方向一端縁に対応して設けられ、その他の一組は、各種シート２〜５の幅方向他端縁に対応して設けられている。
【００６７】
さらに、カメラ２０による撮像範囲では、最外周に正電極シート４が位置し、その下にセパレータシート３が位置し、その下に負電極シート５が位置し、その下にセパレータシート２が位置した状態となっている。従って、カメラ２０によって、少なくとも正電極シート４と、セパレータシート３と、セパレータシート３を透過して視認可能な負電極シート５と、セパレータシート２とが一度に撮像される。
【００６８】
カメラ２０は、図５に示すように、レンズ２１、撮像素子２２、トリガ信号出力部２３、画像メモリ２４、演算部２６及び出力部２７を備えている。
【００６９】
レンズ２１は、照明装置１９ａ，１９ｂから照射される光のうち、各種シート２〜５などを反射した光を集め、撮像素子２２に対し像を結ぶものである。レンズ２１は、一般レンズであってもよいし、テレセントリックレンズであってもよい。
【００７０】
撮像素子２２は、レンズ２１を通った光を電気信号に変換するものであり、例えば、ＣＭＯＳイメージセンサやＣＣＤイメージセンサにより構成されている。
【００７１】
トリガ信号出力部２３は、撮像素子２２に対しトリガ信号を出力する。トリガ信号が出力される度に、撮像素子２２が露光されるとともに、撮像素子２２から各種シート２〜５に係る画像（画像データ）が画像メモリ２４へと出力される。得られる画像には、少なくとも正電極シート４と、セパレータシート３と、セパレータシート３を透過して撮像された負電極シート５と、セパレータシート２とが含まれる（図１１参照）。但し、セパレータシート２，３の各エッジ部２Ｅ，３Ｅ（幅方向端縁）は通常重なるため、画像中においてセパレータシート２を判別できないことがある。尚、本実施形態において、カメラ２０における被写界深度は比較的浅くなるように構成されており、得られる画像は解像度の比較的高いもの、つまり、計測分解能が比較的高いものとなっている。
【００７２】
また、カメラ２０には、制御装置８１から後述する撮像信号が入力されるが、この撮像信号が入力されることで、トリガ信号出力部２３からトリガ信号を出力する。つまり、制御装置８１から撮像信号が入力される度に、撮像が実行され、得られた画像が画像メモリ２４へと出力される。
【００７３】
画像メモリ２４は、撮像素子２２から入力された画像を記憶する。本実施形態では、各種シート２〜５の巻回時において巻芯１３，１４が１回転する間に、１枚の画像が得られるとともに、この１枚の画像が画像メモリ２４に記憶される。尚、巻芯１３，１４が１回転する間に、複枚数の画像が得られるとともに、これら画像が画像メモリ２４に記憶されることとしてもよい。
【００７４】
演算部２６は、画像メモリ２４からこれに記憶された画像を出力部２７へと送る。尚、巻芯１３，１４が１回転する間に複枚数の画像を得る場合、演算部２６は、複数枚の画像から所定条件を満たす１の画像を選択した上で、選択した１の画像を出力部２７へと送るものであってもよい。
【００７５】
出力部２７は、画像を制御装置８１へと送信するものである。本実施形態では、出力部２７から制御装置８１へと送られる画像の数は、各種シート２〜５を巻取る際における巻芯１３，１４の回転数以下となる。そのため、出力部２７や出力部２７及び制御装置８１を結ぶ伝送路として、処理能力や通信能力などの優れた特別なものを用いる必要はない。
【００７６】
加えて、カメラ２０は、レンズ２１の光軸ＯＰ（図４参照）と平行に延びる図示しないボールねじに取付けられており、当該ボールねじは図示しないサーボモータが駆動することで回転する。その結果、カメラ２０は、前記サーボモータの駆動により、レンズ２１の光軸ＯＰ方向に沿って、巻回ポジションＰ１に位置する巻芯１３，１４に対し相対移動する。
【００７７】
また、カメラ２０は、少なくとも巻芯１３，１４に対する各種シート２〜５の巻回開始直前に、予め設定された初期位置に配置されるようになっている。初期位置に配置されたカメラ２０は、巻芯１３，１４の外周面にピントが合う状態となっている。
【００７８】
さらに、前記サーボモータは、制御装置８１によって駆動制御されることで、カメラ２０の移動を制御する。本実施形態では、制御装置８１から所定の移動開始信号が入力されると、前記サーボモータは、各種シート２〜５の巻始めから巻終わりまでの巻芯１３，１４の各回転時に、巻芯１３，１４が１回転する間に巻かれる各種シート２〜５の厚さに対応する一定量の分だけカメラ２０が移動するように駆動する。このとき、前記サーボモータは、カメラ２０を連続的に（一時停止することなく）一定速度で巻芯１３，１４から離れるように移動させる。これにより、巻芯１３，１４に対する各種シート２〜５の巻回中に、最外周に位置する各種シート２〜５に対してピントが合うように、巻芯１３，１４に巻き付けられた各種シート２〜５の厚さに応じてカメラ２０が移動することとなる。
【００７９】
そして、制御装置８１から所定の移動停止信号が入力されると、前記サーボモータは、カメラ２０の移動を停止させる。その上で、制御装置８１から所定の位置リセット信号が入力されると、前記サーボモータは、カメラ２０の位置を前記初期位置にリセットする。
【００８０】
次いで、制御装置８１について説明する。制御装置８１は、演算手段としてのＣＰＵや、各種プログラムを記憶するＲＯＭ、演算データや入出力データなどの各種データを一時的に記憶するＲＡＭ、演算データ等を長期記憶するハードディスクなどを備えている。制御装置８１は、上記の通り、巻回部１１や各供給機構３１，４１，５１，６１など巻回装置１０内の各種装置の動作を制御する。本実施形態では、照明装置１９ａ，１９ｂ、カメラ２０、制御装置８１及び巻芯用エンコーダ８２によって、電池素子１の検査を行うための検査装置１００が構成されている。
【００８１】
制御装置８１は、各種シート２〜５を巻取る際に、次のように動作する。すなわち、制御装置８１は、各種シート２〜５の巻回工程を開始するとともに、各種シート２〜５を巻取っている巻芯１３，１４の回転角度が予め設定された一定角度となる度に、カメラ２０に対し撮像信号を出力する。
【００８２】
撮像信号の出力に伴い、制御装置８１には、カメラ２０から画像が入力される。制御装置８１は、カメラ２０から送られた画像に基づき各種シート２〜５の位置ずれなどに関する検査を行う。尚、検査の具体的な手法については後述する。
【００８３】
さらに、制御装置８１は、各種シート２〜５の巻回開始時に、前記サーボモータに対し移動開始信号を出力することで、カメラ２０を巻芯１３，１４から遠ざかるように移動させる。そして、制御装置８１は、巻芯１３，１４に対し正電極シート４が所定量だけ巻回された段階で、前記サーボモータに対し移動停止信号及び位置リセット信号を出力することにより、カメラ２０を停止させるとともに、前記初期位置へと移動させる。但し、制御装置８１は、後述するように各種シート２〜５を不良品と判定した場合、正電極シート４が所定量巻回される前の時点で、移動停止信号及び位置リセット信号を出力する。
【００８４】
次に、上記の巻回装置１０による各種シート２〜５の巻回工程について説明する。尚、巻回工程に先立って、一方の巻芯１３（１４）における隙間１３ｃ（１４ｃ）に、セパレータシート２，３が予め配置され、また、当該セパレータシート２，３は、チャック部１５ａ，１５ｂにより保持された状態となっている（図１２参照）。
【００８５】
巻回工程では、図６に示すように、まず、ステップＳ１１において、一方の巻芯１３（１４）を所定数だけ回転させることで、一方の巻芯１３（１４）に対しセパレータシート２，３が所定量だけ巻き取られた状態とする。その後、チャック部１５ａ，１５ｂをそれぞれ退避位置に移動させる。
【００８６】
次いで、ステップＳ１２において、負電極シート供給機構４１のシート挿入機構７１により一方の巻芯１３（１４）側に対し負電極シート５が供給される。具体的には、負電極シート５を把持するシート挿入機構７１が巻回部１１側に接近し、セパレータシート２，３間に負電極シート５が挿入されることで、負電極シート５が供給される。尚、挿入後、シート挿入機構７１による負電極シート５の把持が解除されるとともに、シート挿入機構７１が元の位置に戻る。
【００８７】
続くステップＳ１３では、負電極シート５の供給後、一方の巻芯１３（１４）が所定数回転（例えば、１回転）した段階で、シート挿入機構７１により一方の巻芯１３（１４）側に対し、正電極シート４が供給される。具体的には、正電極シート４を把持するシート挿入機構７１が巻回部１１側に接近し、セパレータシート２，３間に正電極シート４が挿入されることで、正電極シート４が供給される。尚、挿入後、シート挿入機構７１による正電極シート４の把持が解除されるとともに、シート挿入機構７１が元の位置に戻る。
【００８８】
次に、ステップＳ１４において、撮像検査処理が実行される。撮像検査処理では、図７に示すように、まず、ステップＳ３１において、一方の巻芯１３（１４）が一定速で回転するように制御され、各種シート２〜５が巻回されていく。
【００８９】
次いで、ステップＳ３２において、制御装置８１から前記サーボモータに対し移動開始信号が出力される。これにより、カメラ２０は、一方の巻芯１３（１４）から遠ざかるように一定速度で移動していく。
【００９０】
ステップＳ３２の後、ステップＳ３３において、正電極シート４の送り量が予め設定された所定量に到達したか否かが判定される。すなわち、撮像検査処理の終了条件を満たすか否かが判定される。正電極シート４の送り量としては、前記ニップローラ用エンコーダにより取得された、巻回開始からの各種シート２〜５の送り量が用いられる。また、この所定量は、電池素子１ひとつ分を構成する正電極シート４の長さに対応するものとされる。正電極シート４が前記所定量だけ巻芯１３，１４へと送られることで、一素子分の正電極シート４の終端部がシート切断カッタ７２に対応して配置された状態となる。
【００９１】
ステップＳ３３で肯定判定された場合には、撮像検査処理の終了タイミングであるため、ステップＳ４０に移行する。一方、ステップ３３にて否定判定された場合には、ステップＳ３４にて、巻芯用エンコーダ８２から出力された一方の巻芯１３（１４）の回転角度に基づき、一方の巻芯１３（１４）の回転角度が予め設定された一定角度であるか否かが判定される。
【００９２】
ステップＳ３４で否定判定された場合には、カメラ２０による撮像の実行タイミングではないため、ステップＳ３３へと戻る。これに対し、ステップＳ３４で肯定判定された場合には、カメラ２０による撮像を実行すべく、ステップＳ３５に移行し、制御装置８１からカメラ２０に対し撮像信号が出力される。これにより、カメラ２０によって巻回中の各種シート２〜５が撮像される。また、カメラ２０から制御装置８１に対し、撮像により得られた画像が入力される。
【００９３】
続くステップＳ３６では、検査処理が実行される。検査処理では、図８に示すように、まず、ステップＳ１０１において、入力された画像に基づき、セパレータシート３のエッジ部３Ｅ（幅方向端縁部）、セパレータシート２のエッジ部２Ｅ、正電極シート４のエッジ部４Ｅ、及び、負電極シート５のエッジ部５Ｅの抽出が行われる（図１１参照）。尚、エッジ部２Ｅ，３Ｅが重なりエッジ部２Ｅを抽出できない場合には、エッジ部３Ｅをエッジ部２Ｅとして扱う。
【００９４】
続くステップＳ１０２では、入力された画像を基に、正電極シート４における活物質塗工部４ａ及び活物質不塗工部４ｂの境界部４Ｔと、負電極シート５における活物質塗工部５ａ及び活物質不塗工部５ｂの境界部５Ｔとが抽出される（図１１参照）。
【００９５】
次に、ステップＳ１０３において、上記ステップＳ１０１，１０２で抽出したエッジ部２Ｅ，３Ｅ，４Ｅ，５Ｅや境界部４Ｔ，５Ｔを基に各種距離の演算が行われる。つまり、一方の巻芯１３（１４）に巻き付けられた各種シート２〜５の位置ずれ量が演算される。
【００９６】
具体的には、エッジ部３Ｅを基準として、シート幅方向における境界部４Ｔまでの距離Ｌ１と、シート幅方向におけるエッジ部４Ｅまでの距離Ｌ２と、シート幅方向における境界部５Ｔまでの距離Ｌ３と、シート幅方向におけるエッジ部５Ｅまでの距離Ｌ４と、シート幅方向におけるエッジ部２Ｅまでの距離（不図示）とが算出される（図１１参照）。
【００９７】
その後、ステップＳ１０４において、上記ステップＳ１０３で算出した各距離を基に、各距離が予め設定された許容範囲にあるか否かが判定される。
【００９８】
ここで、各距離のうちのいずれかが許容範囲にないと判定された場合、すなわち、各種シート２〜５における巻きずれや活物質塗工部４ａ，５ａの塗布位置ずれが発生していると考えられる場合には、ステップＳ１０５において不良と判定され、検査処理が終了される。
【００９９】
一方、ステップＳ１０４において、各距離のいずれもが許容範囲にあると判定された場合には、ステップＳ１０６において、良と判定され、検査処理が終了される。
【０１００】
図７に戻り、ステップＳ３６の検査処理の実行後、ステップＳ３７に移行し、直前の検査処理において良判定されたか否かが判定される。ステップＳ３７にて否定判定された場合、すなわち、検査処理にて不良判定された場合には、ステップＳ３８に移行し、巻芯１３，１４の回転が停止されることで、各種シート２〜５の巻回が途中で中止される。その上で、ステップＳ３９において、この巻回途中の電池素子１を不良品と判定し、ステップＳ４２へと移行する。
【０１０１】
一方、ステップＳ３７にて肯定判定された場合には、ステップＳ３３へと戻る。このように撮像検査処理では、正電極シート４の送り量が所定量となるまでの間、検査処理にて不良判定がなされない限りステップＳ３６の検査処理が繰り返し行われる。その結果、複数の画像に対し検査処理がそれぞれ実行される。
【０１０２】
また、図９及び図１０に示すように、各種シート２〜５の巻取が進み、一方の巻芯１３（１４）に巻き付けられた各種シート２〜５の合計厚さが増大するのに合わせて、カメラ２０は、光軸ＯＰ方向に沿って一方の巻芯１３（１４）から離れる方向に徐々に移動していく。その結果、一方の巻芯１３（１４）の回転角度が一定角度となる度に、各種シート２〜５のうち最も外側に巻かれた部分からカメラ２０までの距離がほぼ一定となり、カメラ２０のピントが合う範囲Ｒに各種シート２〜５が位置する状態となる。そのため、一方の巻芯１３（１４）の各回転時に、ピントの合った画像がそれぞれ取得され、このピントの合った複数の画像に対し検査処理が行われる。
【０１０３】
検査処理が順調に行われ、正電極シート４の送り量が所定量になると（ステップＳ３３：ＹＥＳ）、ステップＳ４０に移行し、一方の巻芯１３，１４の回転が停止される。次いで、ステップＳ４１にて、巻回途中の各種シート２〜５からなる電池素子１が良品と判定され、ステップＳ４２へと移行する。
【０１０４】
そして、ステップＳ４２において、制御装置８１から前記サーボモータへと移動停止信号が出力されることで、カメラ２０が停止される。その上で、ステップＳ４３において、前記サーボモータへと位置リセット信号が出力されることで、カメラ２０が初期位置に戻り、撮像検査処理が終了される。
【０１０５】
図６に戻り、ステップＳ１４の撮像検査処理が行われた後、ステップＳ１５にて、シート挿入機構７１により正電極シート４が把持された上で、シート切断カッタ７２により正電極シート４が切断される。尚、撮像検査処理にて、巻回途中の電池素子１が良品と判定されていれば、一素子分の正電極シート４の終端部にて切断される。一方、撮像検査処理にて、巻回途中の電池素子１が不良品と判定されていれば、前記終端部よりも手前の位置で正電極シート４が切断される。
【０１０６】
続くステップＳ１６では、撮像検査処理にて良品判定が行われたか否かが判定される。ステップＳ１６にて肯定判定された場合には、一方の巻芯１３（１４）の回転が再開された上で、ステップＳ１７へと移行する。
【０１０７】
一方、ステップＳ１６にて否定判定された場合には、一方の巻芯１３（１４）の回転を再開させることなく、ステップＳ１８へと移行する。すなわち、巻回途中の電池素子１が不良品と判定されている場合には、負電極シート５がこれ以上積極的に供給されないようにする。
【０１０８】
ステップＳ１７では、供給開始からの負電極シート５の送り量が所定量に到達したか否かの判定が、当該条件を満たすまで繰り返し行われる。この所定量は、電池素子１ひとつ分を構成する負電極シート５の長さに対応するものとされる。負電極シート５の送り量は、前記ニップローラ用エンコーダにより取得された各種シート２〜５の送り量に基づき導出される。ステップＳ１７で肯定判定された場合、すなわち、現在巻回されている一素子分の負電極シート５の終端部がシート切断カッタ７２に到達した場合には、一方の巻芯１３（１４）の回転が一時停止された上で、ステップＳ１８へと移行する。
【０１０９】
ステップＳ１８では、シート挿入機構７１により負電極シート５が把持された上で、シート切断カッタ７２により負電極シート５が切断される。
【０１１０】
次いで、ステップＳ１９において、一方の巻芯１３（１４）の回転を再開させることにより、電極シート４，５の終端部分（巻き残し部分）が巻き取られる。
【０１１１】
ステップＳ１９に続くステップＳ２０では、セパレータシート２，３が切断されることなく、ターレット１２が反時計回りに回転させられる。これにより、巻回ポジションＰ１にあった一方の巻芯１３（１４）がセパレータ供給機構５１，６１からセパレータシート２，３を引き出しつつ、取外しポジションＰ２側へと移動していく。一方、取外しポジションＰ２にあった他方の巻芯１４（１３）が、ターレット１２の一方のテーブルに没した状態で、巻回ポジションＰ１側へと移動していく。
【０１１２】
続いて、ステップＳ２１において、ターレット１２の回転に合わせて、各種シート２〜５の巻回されている一方の巻芯１３（１４）が回転させられる。
【０１１３】
そして、次のステップＳ２２において、巻終わり処理が実行されることで、巻回工程が終了される。
【０１１４】
巻終わり処理では、まず、巻芯用エンコーダ８２により把握される、負電極シート５の切断時からの一方の巻芯１３（１４）の回転量が所定量に到達した時点で、一方の巻芯１３（１４）の回転が停止させられる。尚、一方の巻芯１３（１４）の回転が停止する前、停止すると同時、又は、停止した後に、ターレット１２の回転が停止される。
【０１１５】
一方の巻芯１３（１４）及びターレット１２の回転が停止されると、巻回ポジションＰ１にあった一方の巻芯１３（１４）が取外しポジションＰ２に位置し、取外しポジションＰ２にあった他方の巻芯１４（１３）が巻回ポジションＰ１に位置した状態となる。
【０１１６】
この状態で、押えローラ１７が一方の巻芯１３（１４）に接近移動させられることで、押えローラ１７により各種シート２〜５が押さえられる。また、チャック部１５ａ，１５ｂが退避位置から挟持位置へと移動させられることで、両ポジションＰ１，Ｐ２間にてセパレータシート２，３が保持される。その上で、セパレータカッタ１６がセパレータシート２，３に接近することにより、セパレータシート２，３が切断される（図１３参照）。
【０１１７】
また、他方の巻芯１４（１３）がターレット１２の一方のテーブルから突出することで、他方の巻芯１４（１３）の隙間１４ｃ（１３ｃ）にセパレータシート２，３が配置される。次回の巻回工程では、他方の巻芯１４（１３）が所定量だけ回転することにより、その外周にセパレータシート２，３が所定量だけ巻き付けられた状態となる。そして、このセパレータシート２，３が巻き付けられた他方の巻芯１４（１３）へと電極シート４，５が供給される。
【０１１８】
セパレータシート２，３の切断後、押えローラ１７により各種シート２〜５が押さえられた状態のまま、一方の巻芯１３（１４）が回転させられる。これにより、セパレータシート２，３及び電極シート４，５の終端部分がばらけることなく完全に巻取られる。その後、テープ貼付機構１８により、セパレータシート２，３の終端部が前記固定用テープにより巻止めされ、巻終わり処理が終了される。巻止めされた電池素子１は、前記取外装置によって一方の巻芯１３（１４）から取外される。そして、良品と判定された電池素子１は、正規のラインへと送り出される。一方、不良品と判定された電池素子１は、所定の不良品排出機構へと送り出される。
【０１１９】
以上詳述したように、本実施形態によれば、制御装置８１は、実際に巻き取られた状態の各種シート２〜５に対し良否の判定を行う。実際に巻き取られた状態の各種シート２〜５に対し良否判定を行うことで、電池素子１の品質に関する良否をより正確に判定することができる。
【０１２０】
また、カメラ２０は、レンズ２１の光軸ＯＰ方向に沿って巻芯１３，１４に対し相対移動可能とされており、各種シート２〜５の巻回中に、各種シート２〜５に対するピントが合うように、巻芯１３，１４に巻き付けられた各種シート２〜５の厚さに応じて、光軸ＯＰ方向に沿って相対移動する。具体的には、各種シート２〜５の巻取開始直後であり、巻芯１３，１４に巻回された各種シート２〜５が薄い場合、カメラ２０は、巻芯１３，１４までの距離が比較的小さなものとなる位置にて各種シート２〜５を撮像する。一方、各種シート２〜５の巻取りが進むにつれて、巻芯１３，１４に巻回された各種シート２〜５が厚くなった（各種シート２〜５の巻取量が多くなった）場合、カメラ２０は、巻芯１３，１４からの距離が比較的大きなものとなる位置にて各種シート２〜５を撮像する。これにより、被写界深度を浅くして計測分解能を高めつつ、各種シート２〜５に対しより確実にピントを合わせることができる。すなわち、いわばトレードオフの関係にある、計測分解能を高めること、及び、被写界深度を深くすること（ピントの合う範囲を広げること）の双方を同時に実現した場合と同様の効果を得ることができる。その結果、検査に係る信頼性を十分に高めることができる。
【０１２１】
さらに、カメラ２０が移動することで、電池素子１が大型なものである場合など、巻回開始から巻回終了までの間に、巻取中における各種シート２〜５の径の変動が比較的大きくなるような場合に十分対応することができる。従って、様々なサイズの電池素子１を精度よく検査することができる。
【０１２２】
加えて、カメラ２０は、各種シート２〜５の巻回中に連続的に移動する。従って、カメラ２０において移動及び一時停止が交互に繰り返し行われる場合と比較して、カメラ２０における振動の発生を効果的に抑制することができる。これにより、各種シート２〜５に対しピントの合った画像をより確実に得ることができ、検査に係る信頼性を一層高めることができる。さらに、カメラ２０の移動に係る制御が容易になり、制御処理に関する負担の軽減を図ることができる。特に本実施形態では、カメラ２０は一定速度で移動するため、制御処理に関する負担軽減をより効果的に図ることができる。
【０１２３】
併せて、巻芯１３，１４が一定の回転角度となる度に、カメラ２０による各種シート２〜５の撮像が行われる。従って、撮像のタイミングに係る制御が容易なものとなり、制御処理に関する負担の軽減を一層図ることができる。
【０１２４】
また、本実施形態によれば、電極シート４，５及びセパレータシート２，３を一度に撮像することができる。従って、少ない撮像回数で検査に必要な画像を得ることができ、検査効率を向上させることができる。
【０１２５】
尚、上記実施形態の記載内容に限定されず、例えば次のように実施してもよい。勿論、以下において例示しない他の応用例、変更例も当然可能である。
【０１２６】
（ａ）上記実施形態において、カメラ２０は、各種シート２〜５の巻回中に一定速度で移動するように構成されているが、必ずしも一定速度で移動しなくてもよい。従って、例えば、制御装置８１に対し、各種シート２〜５の巻始めから巻終わりまでの巻芯１３，１４の各回転時における、巻芯１３，１４に巻き付けられた各種シート２〜５の光軸ＯＰ方向に沿った厚さの変動量に関する情報を予め入力しておき、カメラ２０は、巻芯１３，１４の各回転時に、その回転時に対応する前記厚さの変動量の分だけ移動するように構成してもよい。この場合には、各種シート２〜５に対しカメラ２０のピントをより確実に合わせることができ、より鮮明な画像を得ることができる。その結果、検査に係る信頼性をより高めることができる。尚、厚さの変動量に関する情報は、例えば、各種シート２〜５の厚さに関する情報に基づく計算などにより求めることができる。
【０１２７】
（ｂ）上記実施形態では、巻芯１３，１４の回転開始時に、カメラ２０の移動が開始されるように構成されているが、巻芯１３，１４の回転開始前に、カメラ２０の移動を開始するように構成してもよい。この場合には、カメラ２０の移動開始から撮像開始までの時間をより長いものとすることができるため、カメラ２０による撮像開始までに、移動開始に伴い生じたカメラ２０の振動をより確実に抑えることができる。その結果、ピントの合った鮮明な画像を一層確実に得ることができ、検査に係る信頼性を一層高めることができる。
【０１２８】
（ｃ）上記実施形態において、カメラ２０は、連続的に移動するように構成されているが、間欠的に移動するように構成してもよい。例えば、巻芯１３，１４が予め設定された回転数だけ回転する度に、カメラ２０が予め設定された所定量だけ移動するように構成してもよい。
【０１２９】
（ｄ）上記実施形態では、得られた画像に基づき、各種シート２〜５の巻きずれや活物質塗工部４ａ，５ａの塗布位置ずれに関し検査を行っているが、検査項目はこれらに限定されるものではない。従って、例えば、電極シート４，５に対しタブを設ける場合、得られた画像に基づき、電極シート４〜５の幅方向に沿ったタブの位置に関する検査を行ってもよい。タブとしては、電極シート４，５における活物質不塗工部４ｂ，５ｂに溶接された溶接タブや、電極シート４，５の幅方向一端部に間欠的に切込みを設けることで形成された切込みタブなどがある。勿論、得られた画像に基づき、その他の項目に関する検査を行ってもよい。どのような検査項目であっても、ピントの合った画像に基づき検査を行うため、検査に係る信頼性を十分に高めることができる。
【０１３０】
（ｅ）上記実施形態では、カメラ２０から制御装置８１へと画像が出力され、制御装置８１がこの画像に基づき各種シート２〜５の良否を判定している。これに対し、カメラ２０（例えば、演算部２６）が、得られた画像に基づき各種シート２〜５の良否を判定し、各種シート２〜５の判定結果に関する情報を制御装置８１へと出力するように構成してもよい。この場合には、カメラ２０から制御装置８１に伝送されるデータ量をより小さなものとすることができ、処理負担の軽減を図ることができる。
【０１３１】
（ｆ）上記実施形態では、各種シート２〜５における相対位置に基づき良否判定が行われているが、各種シート２〜５の絶対位置に基づき良否判定を行うこととしてもよい。この場合には、例えば、巻芯１３，１４に付された目印を用い、各種シート２〜５の絶対位置を得てもよい。
【０１３２】
また、複数の画像同士を比較することで、良否判定を行うように構成してもよい。例えば、各種シート２〜５の巻回開始直後に得られた画像と、各種シート２〜５の巻回終了直前に得られた画像とを比較した場合に、各種シート２〜５の幅方向に沿った各種シート２〜５の位置の変動量が大きいときには、各種シート２〜５が巻芯１３，１４の回転軸に対し斜めに巻取られているものとして、不良と判定してもよい。このように構成することで、各種シート２〜５における全体的な位置変動の程度を把握することができ、電池素子１の良否をより正確に判定することができる。
【０１３３】
（ｇ）上記実施形態では、セパレータシート２，３及び両電極シート４，５がそれぞれ同一の搬送経路を通って巻芯１３，１４へと供給されるように構成されている。そして、セパレータシート２，３及び両電極シート４，５を一度に撮像するように構成されている。これに対し、両セパレータシート２，３の一方及び両電極シート４，５の一方と、両セパレータシート２，３の他方及び両電極シート４，５の他方とがそれぞれ別々の搬送経路を通って巻芯へと供給されるように構成してもよい。また、この場合には、巻芯へと巻き付けられた両セパレータシート２，３の一方及び両電極シート４，５の一方と、巻芯へと巻き付けられた両セパレータシート２，３の他方及び両電極シート４，５の他方とを別々に撮像するように構成してもよい。すなわち、上記実施形態では、４枚のシートが一度に撮像されているが、２枚のシートを別々に撮像するように構成してもよい。
【０１３４】
（ｈ）カメラ２０を、光軸ＯＰ方向（Ｚ軸方向）と直交する方向に移動可能としてもよい。例えば、カメラ２０を、光軸ＯＰと直交する各種シート２〜５の幅方向（Ｙ軸方向）に沿って移動可能としてもよいし、前記幅方向と直交する方向（Ｘ軸方向）に沿って移動可能としてもよい。この場合には、カメラ２０による撮像位置を容易に調節することができる。そのため、各種シート２〜５や巻芯１３，１４の変更に対し柔軟に対応することができる。
【０１３５】
（ｉ）上記実施形態では、巻芯１３，１４として、各種シート２〜５の巻回される外周形状が楕円形状に構成されたものを採用しているが、巻芯１３，１４の形状はこれに限定されるものではない。従って、例えば外周形状が円形状、長方形状（扁平状）、多角形状、長円形状等となる巻芯を採用してもよい。
【０１３６】
（ｊ）セパレータシート２，３や電極シート４，５の材質は上記実施形態で挙げたものに限定されるわけではない。例えば、上記実施形態では、セパレータシート２，３をＰＰにより形成することとしているが、他の絶縁性材料によってセパレータシート２，３を形成することとしてもよい。また、例えば、電極シート４，５に塗布される活物質を適宜変更してもよい。
【０１３７】
（ｋ）上記実施形態において、巻回部１１は、２つの巻芯１３，１４を備えた構成となっているが、巻芯の数はこれに限定されるものではなく、３つ以上の巻芯を備えた構成としてもよい。尚、巻芯が１つの場合、ターレット１２等は省略可能である。
【０１３８】
（ｌ）上記実施形態では、回転可能な巻芯１３，１４の外周に対し各種シート２〜５が直接巻回されるように構成されているが、回転可能な軸部及び当該軸部の外周に配置された筒状の巻芯コアにより巻芯を構成し、巻芯コアの外周面に対し各種シート２〜５が巻回されるようにしてもよい。
【符号の説明】
【０１３９】
１…電池素子（巻回素子）、２，３…セパレータシート、４…正電極シート、５…負電極シート、１０…巻回装置、１３，１４…巻芯、１９ａ，１９ｂ…照明装置（照射手段）、２０…カメラ（撮像手段）、２１…レンズ、８１…制御装置（良否判定手段）、８２…巻芯用エンコーダ（回転角度検出手段）、１００…検査装置。
【図１】
2018170103.tif 000003
【図２】
2018170103.tif 000004
【図３】
2018170103.tif 000005
【図４】
2018170103.tif 000006
【図５】
2018170103.tif 000007
【図６】
2018170103.tif 000008
【図７】
2018170103.tif 000009
【図８】
2018170103.tif 000010
【図９】
2018170103.tif 000011
【図１０】
2018170103.tif 000012
【図１１】
2018170103.tif 000013
【図１２】
2018170103.tif 000014
【図１３】
2018170103.tif 000015